(57)【特許請求の範囲】
【請求項１】
アンテナ本体の下部に設けられ円柱状に形成されたアンテナ支持部と、
このアンテナ本体が取付けられる筐体に設けられ前記アンテナ支持部を形成する円柱が内包される円筒状に形成されたアンテナ取付部と
を備え、
前記アンテナ支持部には、前記アンテナ取付部の筐体内側の円筒端の縁と嵌合するように形成されたロック用ツメ部を備えた
アンテナ支持機構において、
前記アンテナ取付部の前記アンテナ支持部を内包する円筒の内径の直径は、筐体側が小さく、アンテナ本体側が大きな２段の構造に形成され、
前記アンテナ支持部が挿入される貫通孔を有し、前記アンテナ取付部のアンテナ本体側の円筒部分に外周の一部が挿入されるゴムブッシュが前記アンテナ本体と前記アンテナ取付部との間に介挿され、
前記ゴムブッシュの前記アンテナ取付部の筐体側の円筒端の縁と接触する端部には、前記貫通孔の直径よりも大きく、前記アンテナ取付部のアンテナ本体側の円筒端の内径の直径よりわずかに大きな外周を有する凸部が設けられ、
前記アンテナ取付部の筐体側の円筒端の縁には、前記凸部と接する円周上に溝が設けられた
ことを特徴とするアンテナ支持機構。
【発明の詳細な説明】
【０００１】
【発明の属する技術分野】
本発明は携帯端末のアンテナを支持する技術に関する。本発明は携帯電話等の携帯端末におけるアンテナ支持に利用するために開発されたものであるが、広くアンテナを有する装置に利用することができる。
【０００２】
【従来の技術】
携帯端末は、携帯性を良好にするために小型軽量化が図られている。このためにアンテナ支持機構についても小型軽量な機構が適用される。この従来例を図４および図５を参照して説明する。図４は従来のロック用ツメ部を有するアンテナ支持機構を示す図である。図５は従来のネジ部を有するアンテナ支持機構を示す図である。
【０００３】
図４に示す従来のアンテナ支持機構は、アンテナ本体１の下部に設けられ円柱状に形成されたアンテナ支持部１０と、このアンテナ本体１が取付けられる筐体３に設けられこのアンテナ支持部１０を形成する円柱が内包される円筒状に形成されたアンテナ取付部１２とを備え、アンテナ支持部１０には、アンテナ取付部１２の筐体内側の円筒端の縁と嵌合するように形成されたロック用ツメ部２を備えている。
【０００４】
図５に示す従来のアンテナ支持機構は、アンテナ本体１の下部に設けられた雄ネジを形成するアンテナ支持部１３と、このアンテナ本体１が取付けられる筐体３に設けられこのアンテナ支持部１３の雄ネジを受ける雌ネジを形成するアンテナ取付部１４とを備えている。
【０００５】
これにより、アンテナを簡単に筐体に取り付けることができるため、効率の良い作業を行うことができる。特に、図４に示した機構は、ネジを用いていないため、振動その他の原因によりネジが緩むといった心配がなく、さらに、ネジ込み作業と比較すると短時間に確実な作業が行える利点があり優れた機構である。
【０００６】
【発明が解決しようとする課題】
このように従来のロック用ツメ部を有するアンテナ支持機構は、優れた機構であるが、アンテナ支持部の寸法とアンテナ取付部の寸法とが完全に一致していない場合には、ロック用ツメ部とアンテナ取付部との嵌合部分にガタが生じる問題がある。しかし、このような携帯端末は、小型軽量である他に安価であることが要求されるため、安価にするためには部品製作精度には自ずから限界があり、このようなガタを完全に無くすることは困難である。
【０００７】
また、このようなガタが生じる取付精度では、アンテナ取付部に雨水等の水滴が付着した場合に、僅かな隙間から筐体内部へ水滴が侵入する可能性も否定できない。
【０００８】
本発明は、このような背景に行われたものであって、効率良く確実性のあるアンテナ取付けを行うことができるとともに取付けられたアンテナのガタを無くすることができ、防水性のあるアンテナ支持機構を提供することを目的とする。
【０００９】
【課題を解決するための手段】
本発明は、アンテナ本体の下部に設けられ円柱状に形成されたアンテナ支持部と、このアンテナ本体が取付けられる筐体に設けられ前記アンテナ支持部を形成する円柱が内包される円筒状に形成されたアンテナ取付部とを備え、前記アンテナ支持部には、前記アンテナ取付部の筐体内側の円筒端の縁と嵌合するように形成されたロック用ツメ部を備えたアンテナ支持機構である。
【００１０】
ここで、本発明の特徴とするところは、前記アンテナ本体と前記アンテナ取付部の筐体側との間に前記アンテナ支持部の貫通孔を有するゴムブッシュが介挿されたところにある。
【００１１】
すなわち、本発明の特徴は、ネジ等を使用せずにいわゆるワンタッチで取りつけられるような機構を備えつつ、アンテナ取付部のガタを生じさせないようにするところにある。すなわち、アンテナ本体とアンテナ取付部との間にゴムブッシュを挟み込むことにより、アンテナ取付部のガタを吸収する。このゴムブッシュは、弾力性を有し、アンテナ取付部の寸法よりも多少大きめに作られており、アンテナ取付け時にはその弾性により、アンテナ取付部にテンションを掛ける役割を果たし、ロック用ツメ部がアンテナ取付部の筐体内側の円筒端の縁と隙間無く嵌合するため、アンテナ本体のガタを無くすることができる。
【００１２】
前記ゴムブッシュの前記アンテナ取付部の筐体側の円筒端の縁と接触する部分には前記貫通孔の直径より大きな直径を有する前記貫通孔の周囲の円周上に凸部が設けられることが望ましい。
【００１３】
さらに、前記アンテナ取付部の筐体側の円筒端の縁には、前記凸部と接する円周上に溝が設けられることが望ましい。これにより、凸部がアンテナ取付部の縁に設けられた溝と噛み合って強力に水滴の侵入を防ぐことができる。
【００１４】
【発明の実施の形態】
本発明実施例のアンテナ支持機構を図１ないし図３を参照して説明する。図１は本発明実施例のアンテナ支持機構の構成図である。図２は本発明実施例のアンテナ支持機構の拡大構成図である。図３は本発明実施例のアンテナ支持機構の各部の寸法の条件を示す図である。
【００１５】
本発明は、アンテナ本体１の下部に設けられ円柱状に形成されたアンテナ支持部１０と、このアンテナ本体１が取付けられる筐体３に設けられアンテナ支持部１０を形成する円柱が内包される円筒状に形成されたアンテナ取付部１１とを備え、アンテナ支持部１０には、アンテナ取付部１１の筐体内側の円筒端の縁と嵌合するように形成されたロック用ツメ部２を備えたアンテナ支持機構である。
【００１６】
ここで、本発明の特徴とするところは、アンテナ本体１とアンテナ取付部１１の筐体側との間にアンテナ支持部１０の貫通孔７を有するゴムブッシュ４が介挿されたところにある。これにより、ゴムブッシュの弾性により、ロック用ツメ部２はアンテナ取付部１１の筐体内側の円筒端の縁と隙間無く嵌合するため、アンテナ本体１のガタを無くすることができる。
【００１７】
ゴムブッシュ４のアンテナ取付部１１の筐体側の円筒端の縁と接触する部分には貫通孔７の直径よりも大きな直径を有する貫通孔７の周囲の円周上に凸部５が設けられる。さらに、アンテナ取付部１１の筐体側の円筒端の縁には、凸部５と接する円周上に溝６が設けられる。これにより、アンテナ支持部１０からの水滴の侵入を防止することができる。
【００１８】
図３に示すように、ゴムブッシュ４のアンテナ取付部１１に挿入される部分の外径寸法（Ａ）は、アンテナ取付部１１の筐体側の円筒端の直径（Ｂ）と比較すると、僅かに大きく設定される。また、ゴムブッシュ４の筐体３の表面とアンテナ本体１との間に挟まれる部分（Ｃ）の寸法は、アンテナ支持部１０の長さとロック用ツメ部２のアンテナ取付部１１の筐体内側の円筒端の縁に嵌合する部分までの長さとを加えた長さ（Ｄ）からアンテナ取付部１１の長さ（Ｅ）を差し引いた長さ（Ｄ−Ｅ）よりも僅かに大きく設定される。また、貫通孔７の直径（Ｆ）はアンテナ支持部１０の直径（Ｇ）よりも僅かに小さく設定される。
【００１９】
本実施例では、ゴムブッシュ４は一部が筐体３の外側へ出ているような形状としているが、全てが筐体３の内部へ収納されている形状としてもよい。また、防水効果を高めるために形成した溝６は、必ずしもこの形に限定するものではなく、隙間から入った水が、ストレートに内部に入らないような形状であれば、同様の効果が得られる。
【００２０】
【発明の効果】
以上説明したように、本発明によれば、効率良く確実性のあるアンテナ取付けを行うことができるとともに取付けられたアンテナのガタを無くすることができ、防水性のあるアンテナ支持機構を実現することができる。
【図面の簡単な説明】
【図１】本発明実施例のアンテナ支持機構の構成図。
【図２】本発明実施例のアンテナ支持機構の拡大構成図。
【図３】本発明実施例のアンテナ支持機構の各部の寸法の条件を示す図。
【図４】従来のロック用ツメ部を有するアンテナ支持機構を示す図。
【図５】従来のネジ部を有するアンテナ支持機構を示す図。
【符号の説明】
１  アンテナ本体
２  ロック用ツメ部
３  筐体
４  ゴムブッシュ
５  凸部
６  溝
７  貫通孔
１０、１３  アンテナ支持部
１１、１２、１４  アンテナ取付部
【図１】
0004221908.tif 000002
【図２】
0004221908.tif 000003
【図３】
0004221908.tif 000004
【図４】
0004221908.tif 000005
【図５】
0004221908.tif 000006